(57)【特許請求の範囲】
【請求項１】
再生器に配管した熱源流体供給管の制御弁を所定の低速度で開くスローオープン制御を行い、起動時の入熱を制限する吸収冷凍機において、前記吸収冷凍機を起動する際の制御弁の開度と起動後の経過時間との関係データを備え、前記制御弁を所定の開度までは一気に開き、前記所定の開度より開放された所定の開度まで、前記制御弁を所定の速度で速やかに開き、その後は前記所定の速度より遅い所定の低速度で前記制御弁を開くことを特徴とする起動時における吸収冷凍機の入熱制御方法。
【請求項２】
再生器に配管した熱源流体供給管の制御弁を所定の低速度で開くスローオープン制御を行い、起動時の入熱を制限する吸収冷凍機において、通常の運転状態では定格の１００％を超えて前記熱源流体が流れることのない適宜の開度に前記制御弁を固定して前記再生器への熱源流体の供給を開始し、前記再生器の温度上昇に伴って前記熱源流体の前記再生器における放熱量の減少により前記熱源流体供給管の下流側圧力低下幅が減少し、これにより前記再生器に供給される前記熱源流体の流量が減少し始めると、前記制御弁の開度を前記再生器の温度に基づいて前記熱源流体の流量が減少せず、また、前記定格を超えないように徐々に開くことを特徴とする起動時における吸収冷凍機の入熱制御方法。
【請求項３】
再生器に配管した熱源流体供給管の制御弁を所定の低速度で開くスローオープン制御を行い、起動時の入熱を制限する吸収冷凍機において、前記吸収冷凍機を起動する際の制御弁の開度と起動後の経過時間との関係データを備え、前記制御弁を所定の開度までは一気に開き、前記所定の開度より開放された所定の開度まで、前記制御弁を所定の速度で速やかに開き、前記再生器の温度が所定の温度に達するまではその開度を維持し、前記再生器の温度が前記所定の温度を超えると前記制御弁を前記所定の速度より遅い所定の低速度で開くことを特徴とする起動時における吸収冷凍機の入熱方法。
【請求項４】
再生器に配管した熱源流体供給管の制御弁を所定の低速度で開くスローオープン制御を行い、起動時の入熱を制限する吸収冷凍機において、前記吸収冷凍機を起動する際の制御弁の開度と起動後の経過時間との関係データを備え、前記制御弁を所定の開度までは一気に開き、前記所定の開度より開放された所定の開度まで、前記制御弁を所定の速度で速やかに開き、前記再生器の温度が所定の温度に達するまではその開度を維持し、前記再生器の温度が前記所定の温度を超えると前記制御弁を前記再生器の温度に基づいて前記所定の速度より遅い所定の低速度で開くことを特徴とする起動時における吸収冷凍機の入熱制御方法。
【請求項５】
吸収器と凝縮器に流入する冷却水の温度に基づく補正係数を設定して備え、この補正係数に基づく四則演算などして前記冷却水の温度が低い程制御弁の開口速度が小さくなるように補正制御する請求項１〜４何れかに記載の起動時における吸収冷凍機の入熱制御方法。
【発明の詳細な説明】
【０００１】
【産業上の利用分野】
本発明は吸収冷凍機に関するものであり、特に詳しくは冷媒を蒸発分離する再生器に高温・高圧の水蒸気などの熱源流体を供給する吸収冷凍機における入熱制御方法に関する。
【０００２】
【従来の技術】
再生器の熱源として、例えば高温・高圧の水蒸気などを利用する吸収冷凍機の起動時においては、冷えた缶体に蒸気が入り過ぎることがないように、例えば図６に示したように１０分程度の長い時間を掛けて蒸気制御弁を徐々に開く、いわゆるスローオープン制御が行われている。
【０００３】
【発明が解決しようとする課題】
しかし、従来の起動方法では、制御弁の特性によるレンジアビリティおよび締め込代に基づく初期の動作遅れがあり、立ち上げ時間のロスとなっていた。また、制御弁が全開となった後も冷凍機本体および溶液の温度が低いため、蒸気が過剰に流入して設備側ボイラに悪影響を及ぼすことがあると云った問題点があり、この点の解決が課題となっていた。
【０００４】
【課題を解決するための手段】
本発明は上記従来技術の課題を解決するため、再生器に配管した熱源流体供給管の制御弁を所定の低速度で開くスローオープン制御を行い、起動時の入熱を制限する吸収冷凍機において、
【０００５】
前記吸収冷凍機を起動する際の制御弁の開度と起動後の経過時間との関係データを備え、前記制御弁を所定の開度までは一気に開き、前記所定の開度より開放された所定の開度まで、前記制御弁を所定の速度で速やかに開き、その後は前記所定の速度より遅い所定の低速度で制御弁を開くようにした第１の構成と、
【０００７】
通常の運転状態では定格の１００％を越えて前記熱源流体が流れることのない適宜の開度に前記制御弁を固定して前記再生器への熱源流体の供給を開始し、前記再生器の温度上昇に伴って前記熱源流体の前記再生器における放熱量の減少により前記熱源流体供給管の下流側圧力低下幅が減少し、これにより前記再生器に供給される前記熱源流体の流量が減少し始めると、前記制御弁の開度を前記再生器の温度に基づいて前記熱源流体の流量が減少せず、また、前記定格を超えないように徐々に開くようにした第２の構成と、
【０００８】
前記吸収冷凍機を起動する際の制御弁の開度と起動後の経過時間との関係データを備え、前記制御弁を所定の開度までは一気に開き、前記所定の開度より開放された所定の開度まで、前記制御弁を所定の速度で速やかに開き、前記再生器の温度が所定の温度に達するまではその開度を維持し、前記再生器の温度が前記所定の温度を超えると前記制御弁を前記所定の速度より遅い所定の低速度で開くようにした第３の構成と、
【０００９】
前記吸収冷凍機を起動する際の制御弁の開度と起動後の経過時間との関係データを備え、前記制御弁を所定の開度までは一気に開き、前記所定の開度より開放された所定の開度まで、前記制御弁を所定の速度で速やかに開き、前記再生器の温度が所定の温度に達するまではその開度を維持し、前記再生器の温度が前記所定の温度を超えると前記制御弁を前記再生器の温度に基づいて前記所定の速度より遅い所定の低速度で開くようにした第４の構成と、を提供するものである。
【００１０】
また、前記第１〜第４の何れかの構成において、吸収器と凝縮器に流入する冷却水の温度に基づく補正係数を設定して備え、この補正係数に基づく四則演算などして前記冷却水の温度が低い程制御弁の開口速度が小さくなるようにした第５の構成を提供するものである。
【００１２】
【作用】
第１の構成の場合；熱源流体供給管に設けた制御弁を所定の開度までは一気に開き、その後は所定の低速度で開くので、立ち上げ時のロスがなくなり、熱源流体を速やかに供給しながら、オーバーシュートを防止し、熱源流体が流入し過ぎることが回避される。
【００１３】
第２の構成の場合；熱源流体供給管に設けた制御弁を所定の開度までは速やかに開き、その後は所定の低速度で開くので、この構成の場合も立ち上げ時のロスがなくなり、熱源流体を速やかに供給しながら、オーバーシュートを防止し、熱源流体が流入し過ぎることが回避される。
【００１４】
第３の構成の場合；定格の１００％を越えて熱源流体が流れることのない適宜の開度に制御弁を固定して再生器への熱源流体の供給を開始し、再生器の温度上昇に伴って熱源流体の再生器への流入量が減少し始めると、制御弁の開度を再生器の温度に基づいて熱源流体の流量が減少しないように徐々に開くので、再生器の温度が低いときにも熱源流体が再生器に流入し過ぎることがないし、再生器温度が上昇しても再生器に供給される熱源流体の流入量が減少することがない。
【００１５】
第４の構成の場合；制御弁を所定の開度までは速やかに開き、再生器の温度が所定の温度に達するまではその開度を維持し、再生器の温度が所定の温度を越えると制御弁を所定の低速度で開くので、この構成の場合も立ち上げ時のロスがなくなり、熱源流体を速やかに供給しながら、オーバーシュートを防止し、熱源流体が流入し過ぎることが回避される。
【００１６】
第５の構成の場合；制御弁を所定の開度までは速やかに開き、再生器の温度が所定の温度に達するまではその開度を維持し、再生器の温度が所定の温度を越えると制御弁を前記再生器の温度に基づいて低速度で開くので、この構成の場合も立ち上げ時のロスがなくなり、熱源流体を速やかに供給しながら、オーバーシュートを防止し、熱源流体が流入し過ぎることが回避される。
【００１７】
第６の構成の場合；吸収器と凝縮器に供給する冷却水の温度が低下すると、凝縮器における冷媒の凝縮が促進されて再生器における冷媒の蒸発分離作用が進み、冷媒が蒸発し易くなるが、冷却水の温度に基づいて補正係数を算定し、この補正係数に基づく四則演算などして冷却水の温度が低い程制御弁の開口速度を抑えるので、制御弁の開度が一層精度良く制御できるようになる。
【００１８】
第７の構成の場合；再生器に配管した熱源流体供給管の制御弁を、蒸発器から冷却して取り出す熱操作流体の温度に基づいて求めた開度および再生器の温度に基づいて求めた開度の内の、小さい方の開度で制御するので、熱源流体の消費を削減しながら、所定の温度の冷水を蒸発器から取り出すことが可能になる。
【００１９】
【実施例】
以下、本発明の実施例を図面に基づいてさらに詳細に説明する。
図５は、例えば冷媒に水、吸収液（溶液）に臭化リチウム（ＬｉＢｒ）溶液を用いた吸収冷凍機の概略構成図であって、１は熱源流体、例えば高温・高圧の水蒸気を供給する熱源供給管２が内部を経由して配管され、稀液を加熱することによって冷媒蒸気を発生させて中間液に濃縮する高温再生器、３は前記冷媒蒸気により前記中間液を加熱して濃液にする低温再生器、４は前記低温再生器３から供給される冷媒蒸気を冷却して凝縮する凝縮器、５は冷媒分配器６から冷媒液を散布・滴下などして蒸発させる蒸発器、７はこの蒸発器から流入する冷媒蒸気を前記低温再生器３から供給される濃液に吸収させて器内を低圧に維持する吸収器、８は低温熱交換器、９は高温熱交換器であり、これらは中間液管１０、濃液管１１、吸収液ポンプ１２を有する稀液管１３、冷媒導管１４、冷媒液管１５、および冷媒ポンプ１６を有する冷媒循環管１７により接続されて、冷媒と吸収液のメインの循環サイクルを形成し、さらに、熱回収器１８が図のように配管接続されていて、前記蒸発器５の内部に配管した伝熱管２０の管壁を介して冷媒の蒸発潜熱によって冷却された熱操作流体、例えば冷水が冷水管２１によって冷房負荷となる所要の室内熱交換器（図示せず）に循環供給可能となっている。また、２２は吸収器７と凝縮器４の内部を経由して配管した冷却水管であり、これらの装置構成自体は従来周知である。
【００２０】
３０は、上記構成になる吸収冷凍機の制御装置であり、この制御装置は高温再生器１の温度が充分に上昇していない装置起動時には高温再生器１に設置した温度センサ３１が計測する溶液温度Ｔ１などに基づいて制御弁３６をゆっくりと開くスローオープン制御を行なう機能と、冷水管２１の蒸発器５出口側に設置した温度センサ３２が計測する蒸発器出口側における冷水の温度Ｔ２が所定の温度、例えば７℃に保たれるように熱源供給管２に設置した制御弁３６の開度を制御して、高温再生器１に供給する高温・高圧の水蒸気の流量を制御する容量制御機能とを備えており、この容量制御を前記スローオープン制御に優先して行うようになっている。
【００２１】
具体的には、制御装置３０は図示しない記憶部に、吸収冷凍機を起動する際の制御弁３６の開度と起動後の経過時間との関係を、例えば図１における実線のように記憶しており、制御弁３６の開度が時間の経過と共にこのようにスローオープンすべく、この制御装置３０からステップモータ３７に所要のステップ数が適宜出力されて制御弁３６の開度を制御するように構成してある。
【００２２】
したがって、制御弁３６の開度は、図示しない起動スイッチが操作されると制御装置３０が制御するステップモータ３７によって先ず一気に２０％に引き上げられ、その後制御弁３６の開度が７０％になるまでは５０％／分の開口速度で速やかに開度を広げ、さらに開度が７０％を越えると７％／分のゆっくりとしたペースで開いて１００％に達するので、高温・高圧の水蒸気が図１に破線で示したように速やかに高温再生器１に供給されるが、オーバーシュートして入り過ぎると云った不都合を生じることなはい。
【００２３】
そして、制御装置３０は前記したように容量制御を上記のスローオープン制御に優先して行うので、このスローオープン制御中に温度センサ３２が計測する冷水温度Ｔ２が所定の温度（この場合、７℃）にまで低下してくると、制御弁３６の開度が１００％に達していなくても、前記温度センサ３２が計測する冷水温度Ｔ２が所定の温度を維持するように制御弁３６の開度が制御される。
【００２４】
また、制御弁３６を通過する高温・高圧の水蒸気の状態に変化がなくても、温度センサ３１が計測する高温再生器１の溶液温度Ｔ１が低い場合には、高温再生器１で溶液に放熱する熱量が多く制御弁３６の下流側圧力低下幅が大きいので、高温再生器１に供給される高温・高圧の水蒸気の流量が増加し、逆に溶液温度Ｔ１が上昇すると高温再生器１で溶液に放熱する熱量が減少し、制御弁３６の下流側での圧力低下幅が小さくなるので、高温再生器１に供給される高温・高圧の水蒸気の流量が減少する傾向がある。
【００２５】
すなわち、弁の開度を例えば７０％にセットしていても、高温再生器１の溶液温度Ｔ１が１３０℃未満のときには高温・高圧の水蒸気が立ち上げ時を除いて定格の凡そ１００％流れ、溶液温度Ｔ１が１３０℃以上になると温度の上昇に伴って流量が次第に減少する制御弁３６がある。
【００２６】
このような流量特性を有する制御弁３６においては、例えば図２に示したように、温度センサ３１が計測する高温再生器１の溶液温度Ｔ１が１３０℃未満のときには制御弁３６の開度を７０％に固定し、溶液温度Ｔ１が１３０℃以上のときは溶液温度Ｔ１に基づいてステップモータ３７に与えるステップ数を徐々に増やし、制御弁３６をゆっくりと開けることによって高温・高圧の水蒸気を高温再生器１に速やかに流入させつつも、定格を越えて流入しないように制御できる。
【００２７】
また、制御弁３６を図３に示したように、すなわち起動スイッチが操作されると制御装置３０が制御するステップモータ３７によって先ず一気に２０％に引き上げ、その後制御弁３６の開度が７０％になるまでは５０％／分の開口速度で速やかに開口し、その後は温度センサ３１が計測する高温再生器１の溶液温度Ｔ１が所定の温度、例えば１３０℃に到達するまでは７０％の開度に固定し、溶液温度Ｔ１が前記所定の１３０℃を越えると、その後は７％／分のゆっくりとしたペースで１００％に引き上げるように、制御装置３０を構成することもできる。
【００２８】
このように制御弁３６の開度を制御することによっても、高温再生器１に流入する高温・高圧の水蒸気は破線で示したように増加し、速やかに増加するがオーバーシュートが防止され、流入し過ぎるとはない。
【００２９】
また、図３に示した制御弁３６の開度を７０％から１００％に引き上げる制御装置３０の制御において、一定のペースではなく温度センサ３１が計測する溶液温度Ｔ１に基づいて引き上げるように制御装置３０を構成することもできる。
【００３０】
制御弁３６の開度をこのように制御しても、高温・高圧の水蒸気は速やかに増加するがオーバーシュートが防止され、流入し過ぎるとはない。
【００３１】
また、冷却水管２２を通って吸収器７・凝縮器４に流入する冷却水の温度が低下すると、凝縮器４における冷媒の凝縮が促進され、これにより高温再生器１における冷媒の蒸発分離作用が進むので、熱源供給管２に設置した制御弁３６の開度を絞る必要があり、逆に、冷却水の温度が上昇すると高温再生器１における冷媒の蒸発分離が進まないので、制御弁３６の開度を大きくする必要がある。
【００３２】
したがって、冷却水管２２の吸収器入口側に設置した温度センサ３３が計測する冷却水温度Ｔ３に基づいて、補正係数ｋを例えば図４における実線のように設定しておき、温度センサ３３が所定時間（例えば、１分間）毎に計測した冷却水温度Ｔ３から求めた補正係数ｋを用いて補正しつつ制御弁３６の開度を制御するように、制御装置３０を構成することも可能である。
【００３３】
例えば、制御弁３６の開度を図１の実線のように制御する制御装置３０において、温度センサ３３が計測する冷却水温度Ｔ３が２８℃であったときには、補正係数ｋは先の図４から０．８と求められるので、この値を乗じて得られる開度、すなわち同図に一点鎖線で示した開度で制御弁３６が制御されるように、制御装置３０を構成すればより精度の高い制御が行える。
【００３４】
このように、制御弁３６の開度を冷却水温度Ｔ３を加味して制御することにより、一層精度の高い制御が可能になる。
【００３５】
また、起動時のスローオープン制御を終了し、温度センサ３２が計測する蒸発器出口側における冷水温度Ｔ２を所定の例えば７℃に保つように、熱源供給管２に設置した制御弁３６の開度を制御する通常運転時の容量制御において、温度センサ３２が計測する冷水温度Ｔ２に基づいて演算算出した制御弁３６の開度と、温度センサ３１が計測する溶液温度Ｔ１に基づいて演算算出した制御弁３６の開度の内、小さい方の開度で制御弁３６の開度を制御するように制御装置３０を構成することも可能である。
【００３６】
制御装置３０をこのように構成することによって、高温・高圧の水蒸気の消費量を削減しながら、所定の温度の冷水を冷水管２１を介して図示しない冷凍負荷に循環供給することが可能になる。
【００３７】
なお、本発明は上記実施例に限定されるものではないので、特許請求の範囲に記載の趣旨から逸脱しない範囲で各種の変形実施が可能である。
【００３８】
例えば、補正係数ｋを図４における破線のように設定した場合には、この補正係数ｋで除して得られる開度（例えば、冷却水温度Ｔ３が２８℃の場合は１．２５で除した開度）に制御弁３６を制御するように制御装置３０を構成する。このように、補正係数ｋの設定の仕方によって補正時の演算の方法は変わってくる。したがって、補正係数ｋの設定の仕方によっては減算・加算法などによって補正するように構成することも可能である。
【００３９】
【発明の効果】
以上説明したように、第１の構成においては、前記吸収冷凍機を起動する際の制御弁の開度と起動後の経過時間との関係データを備え、熱源流体供給管に設けた制御弁を所定の開度までは一気に開き、前記所定の開度より開放された所定の開度まで、前記制御弁を所定の速度で速やかに開き、その後は前記所定の速度より遅い所定の低速度で制御弁を開くように構成したので、立ち上げ時のロスがなくなり、熱源流体を速やかに供給しながら、オーバーシュートを防止し、熱源流体が流入し過ぎると云ったことが回避される。
【００４１】
また、第２の構成においては、通常の運転状態で定格の１００％を越えて熱源流体が流れることのない適宜の開度に制御弁を固定して再生器への熱源流体の供給を開始し、再生器の温度上昇に伴って熱源流体の再生器への流入量が減少し始めると、制御弁の開度を再生器の温度に基づいて熱源流体の流量が減少しないように徐々に開くように構成したので、再生器の温度が低いときにも熱源流体が再生器に流入し過ぎることがないし、再生器温度が上昇しても再生器に供給される熱源流体の流入量が減少すると云った不都合は回避される。
【００４２】
また、第３の構成においても前記吸収冷凍機を起動する際の制御弁の開度と起動後の経過時間との関係データを備え、前記制御弁を所定の開度までは一気に開き、前記所定の開度より開放された所定の開度まで、制御弁を所定の速度で速やかに開き、再生器の温度が所定の温度に達するまではその開度を維持し、再生器の温度が所定の温度を越えると制御弁を前記所定の速度より遅い所定の低速度で開くように構成したので、この場合も立ち上げ時のロスがなくなり、熱源流体を速やかに供給しながら、オーバーシュートを防止し、熱源流体が流入し過ぎることが回避される。
【００４３】
また、第４の構成においても前記吸収冷凍機を起動する際の制御弁の開度と起動後の経過時間との関係データを備え、前記制御弁を所定の開度までは一気に開き、前記所定の開度より開放された所定の開度まで、前記制御弁を所定の速度で速やかに開き、前記再生器の温度が所定の温度に達するまではその開度を維持し、前記再生器の温度が前記所定の温度を超えると前記制御弁を前記再生器の温度に基づいて前記所定の速度より遅い所定の低速度で開くように構成したので、この場合も立ち上げ時のロスがなくなり、熱源流体を速やかに供給しながら、オーバーシュートを防止し、熱源流体が流入し過ぎることが回避される。
【図面の簡単な説明】
【図１】熱源流体制御弁の制御要領を示す説明図である。
【図２】熱源流体制御弁の他の制御要領を示す説明図である。
【図３】熱源流体制御弁の他の制御要領を示す説明図である。
【図４】補正係数ｋの設定要領を示す説明図である。
【図５】装置構成を示す説明図である。
【図６】従来技術の説明図である。
【符号の説明】
１  高温再生器
２  熱源供給管
３  低温再生器
４  凝縮器
５  蒸発器
７  吸収器
２０  伝熱管
２１  冷水管
２２  冷却水管
３０  制御装置
３１・３２・３３  温度センサ
３６  制御弁
３７  ステップモータ
【図１】
0003630775.tif 000002
【図２】
0003630775.tif 000003
【図３】
0003630775.tif 000004
【図４】
0003630775.tif 000005
【図５】
0003630775.tif 000006
【図６】
0003630775.tif 000007